(57)【特許請求の範囲】
【請求項１】
天井に穿設された取付孔に下方から挿入して該天井に取り付けられる器具本体と、
前記器具本体の上面から前記天井と平行に延出される天板と、
取付板先端部が天井裏面に接し電源ユニットの取り付けられる点灯装置取付板と、
取付板基端部の両側から前記天井に垂直な方向で折り曲げられて前記天板を挟む一対の連結片と、
前記連結片に形成され取付板先端部側が開放され前記天板の厚みよりも大きい高さを有する切欠孔と、
前記一対の連結片に挟まれる天板両側部から突出され前記切欠孔に挿入される一対の係合突起と、
前記点灯装置取付板に螺合され天板先端部に当接して前記係合突起の離脱を規制する抜止ビスと、を具備する照明器具。
【請求項２】
請求項１に記載の照明器具において、
前記切欠孔を開放する開放スリットが、取付板下面と、連結片切欠端面と、によって形成される照明器具。
【請求項３】
請求項１または請求項２に記載の照明器具において、
前記切欠孔が、矩形状に形成される照明器具。
【発明の詳細な説明】
【技術分野】
【０００１】
本発明は、天井埋込型の照明器具に関するものである。
【背景技術】
【０００２】
天井等に埋込配置される天井埋込型の照明器具として、器具本体と、ランプ点灯装置が取り付けられる金属製の点灯装置取付板と、を一体化したものが知られている。この種の照明器具には、天井の取付孔の上方に障害物がある場合や、天井懐の高さが低い場合であっても取り付けを安定的に可能とするものが提案されている（例えば特許文献１参照）。
【０００３】
図６に示すように、特許文献１の照明器具１００は、器具本体１０１と、光源であるランプ１０２の点灯装置部１０３が取り付けられた金属製の点灯装置取付板１０４とを一体に連結してある。器具本体１０１は、ランプ１０２が収納されるランプ収納体１０５と、ランプ収納体１０５に結合された天板１０６とを備えている。天板１０６は、長手方向の他端部の両側縁それぞれから下方へ支持片１０７が延設され、点灯装置取付板１０４における器具本体側の端部の両側縁それぞれから延設された連結片１０８の一部が支持片１０７に重ねて軸部１０９により結合される。この構成により、点灯装置取付板１０４は、器具本体１０１に対して上下方向に首振可能となっている。軸部１０９は、連結片１０８に固定してあり、支持片１０７に形成された長孔状の連結孔１１０に挿通される。
【０００４】
この照明器具１００は、施工時に、まず、図６に示すように器具本体１０１に対して点灯装置部１０３が、回転された状態で天井１１１の取付孔１１２に下方から挿入される。その後、図７に示すように点灯装置部１０３における器具本体１０１から遠い側の端部が取付孔１１２から徐々に離れるとともに、器具本体１０１の上面と取付孔１１２の開口面とのなす角度が小さくなるようにランプ収納体１０５が取付孔１１２へ挿入される。最終的にランプ収納体１０５の外鍔部１１３と取付金具との間に取付孔１１２の周部が挟持される。
【０００５】
この照明器具１００によれば、相対的な位置が可変となる状態で器具本体１０１と点灯装置部１０３とを結合していることにより、施工完了状態において点灯装置部１０３の水平を維持できるような天井１１１の厚みの範囲が広くなる。これにより、取付孔１１２の上方に障害物１１４があり、天井１１１が比較的厚い場合でも点灯装置部１０３が天井裏面に傾くことなく配置され、器具本体１０１を天井１１１に安定して取り付けできる。
【先行技術文献】
【特許文献】
【０００６】
【特許文献１】特開２００５−１５８４６５号公報（請求項１、図４、段落００２６）
【発明の概要】
【発明が解決しようとする課題】
【０００７】
しかしながら、上記した従来の照明器具１００は、左右の連結片１０８に固定した軸部１０９が、支持片１０７に形成された長孔状の連結孔１１０に挿通されて、点灯装置取付板１０４を器具本体１０１に対して首振可能としている。このため、左右の連結孔１１０を連結片１０８の所定位置に位置合わせしながら、二本の軸部１０９を螺合作業により取り付けなければならず、組立作業性の悪い問題があった。
【０００８】
本発明は上記状況に鑑みてなされたもので、天井懐の低い天井や天井裏障害物がある場合、天井が比較的厚い場合での施工性を従来と同等に確保しながら、組立作業性が向上する照明器具を提供することにある。
【課題を解決するための手段】
【０００９】
本発明の照明器具は、天井に穿設された取付孔に下方から挿入して該天井に取り付けられる器具本体と、前記器具本体の上面から前記天井と平行に延出される天板と、取付板先端部が天井裏面に接し電源ユニットの取り付けられる点灯装置取付板と、取付板基端部の両側から前記天井に垂直な方向で折り曲げられて前記天板を挟む一対の連結片と、前記連結片に形成され取付板先端部側が開放され前記天板の厚みよりも大きい高さを有する切欠孔と、前記一対の連結片に挟まれる天板両側部から突出され前記切欠孔に挿入される一対の係合突起と、前記点灯装置取付板に螺合され天板先端部に当接して前記係合突起の離脱を規制する抜止ビスと、を具備するものである。
【００１０】
そして、本発明の照明器具は、前記切欠孔を開放する開放スリットが、取付板下面と、連結片切欠端面と、によって形成されるものである。
【００１１】
また、本発明の照明器具は、前記切欠孔が、矩形状に形成されるものである。
【発明の効果】
【００１２】
本発明に係る照明器具によれば、天井懐の低い天井や天井裏障害物がある場合、天井が比較的厚い場合での施工性を従来と同等に確保しながら、組立作業性が向上する。
【図面の簡単な説明】
【００１３】
【図１】本発明に係る照明器具の一部分を切り欠いた側面図
【図２】図１に示した照明器具の平面図
【図３】図１に示した連結片近傍の拡大図
【図４】図１に示した照明器具の器具本体が回転されながら取付孔に取り付けられる際の作用説明図
【図５】（Ａ）は係合突起が大きく回転された場合の要部側面図であり、（Ｂ）は係合突起が小さく回転された場合の要部側面図、（Ｃ）は係合突起が切欠孔の高さ方向に平行移動された場合の要部側面図
【図６】従来の照明器具の取付孔への挿入直後の側面図
【図７】図６から挿入が進行した照明器具の側面図
【発明を実施するための形態】
【００１４】
以下、本発明の照明器具の実施形態について、図面を用いて説明する。
図１は本発明に係る天井埋込型の照明器具の一部分を切り欠いた側面図、図２は図１に示した照明器具の平面図である。
照明器具１０は、器具本体１１と、点灯装置取付板１２と、を一体に連結して組み立てられている。点灯装置取付板１２には、光源である複数のＬＥＤを備えたＬＥＤユニット１３の電源ユニット１４が取り付けられている。
【００１５】
器具本体１１は、天井１５に穿設された取付孔１６に下方から挿入して天井１５に取り付けられる。器具本体１１の上部には複数の放熱フィン１７が設けられる。器具本体１１の下方には、円筒状の枠体１８が連結される。枠体１８は、ＬＥＤユニット１３を包囲する。ＬＥＤユニット１３は、放熱シート１９を介して器具本体１１に固定されている。ＬＥＤユニット１３の光出射方向の外周には反射板２０が配置される。この反射板２０の光出射側は、光拡散パネル２１によって覆われる。ＬＥＤユニット１３からの光は、光拡散パネル２１を透過して枠体１８の下方で開口する開口窓２２を通して出射される。
【００１６】
枠体１８は、下端縁の全周に亘って外方へ突出する鍔部２３を有する。枠体１８は、天井１５に穿孔された円形状の取付孔１６に下方から挿入されることで、鍔部２３が取付孔１６の周縁に当接される。枠体１８の外周には、鍔部２３との間に取付孔１６の周縁を挟持する複数（本実施形態では３個）の取付金具２４が設けられている。
【００１７】
器具本体１１の上面には、天井１５と平行に延出される天板２５が取り付けられる。天板２５は、器具本体１１の上面に起立する一対の挟持固定部２６の間に天板基端部２７が位置決めされる。また、天板２５は、天板基端部２７の両側に垂設された一対の当接片２８が、器具本体１１の上面側部２９を挟持する。天板２５は、この状態で、不図示の固定ビス等によって器具本体１１に固定される。器具本体１１に天板基端部２７が固定された天板２５は、天板先端部３０が器具本体１１から天井１５と平行に延出される。
【００１８】
点灯装置取付板１２は、図１の左右方向を長手方向とする矩形板状に形成される。点灯装置取付板１２は、取付板先端部３１が天井裏面３２に接する。点灯装置取付板１２には、ＬＥＤユニット１３を点灯させる前述の電源ユニット１４が、複数本の図示しない固定ねじを用いて取り付けられる。電源ユニット１４には、ＬＥＤユニット１３へ給電するための端子台３３が不図示の電線によって接続される。
【００１９】
取付板基端部３４の両側には、天井１５に垂直な方向で折り曲げられて天板２５を挟む一対の連結片３５が設けられている。
【００２０】
図３は図１に示した連結片近傍の拡大図である。
連結片３５には切欠孔３６が形成される。切欠孔３６は、取付板先端部側（図３の左側）が開放され、天板２５の厚みよりも大きい高さＨを有する。
【００２１】
一方、天板先端部３０の天板両側部３７には、一対の係合突起３８が突出されている。一対の連結片３５に挟まれる天板両側部３７から突出されたそれぞれの係合突起３８は、切欠孔３６に挿入される。
【００２２】
切欠孔３６が天板２５の係合突起３８と係合した点灯装置取付板１２には、抜止ビス３９が螺合される。抜止ビス３９は、取付板基端部３４の中央に形成された雌ねじに螺合される。抜止ビス３９は、点灯装置取付板１２に螺合されることで、天板先端部３０に当接して、係合突起３８の切欠孔３６からの離脱を規制する。この構成により、点灯装置取付板１２は、器具本体１１に対して上下方向に首振可能となっている。つまり、点灯装置取付板１２は、器具本体１１に対して首振可能に支持されている。
【００２３】
切欠孔３６を開放する開放スリット４０は、取付板下面４１と、連結片切欠端面４２と、によって形成される。照明器具１０では、開放スリット４０の一方が取付板下面４１となるので、取付板下面４１に沿わして天板先端部３０がスライドされることで、天板両側部３７に設けた係合突起３８が開放スリット４０から容易に切欠孔３６へと挿入される。これにより、組立作業性が向上する。
【００２４】
切欠孔３６は、矩形状に形成されている。照明器具１０では、矩形状の切欠孔３６に、この切欠孔３６の長手方向と略同一長の係合突起３８が挿入されて係合するので、切欠孔３６の内方において、係合突起３８が連結片３５に垂直な中心軸回りで回転可能となる。また、係合突起３８が切欠孔３６の高さ方向に平行移動可能となるので、点灯装置取付板１２の水平を維持しつつ点灯装置取付板１２と器具本体１１との上下方向の相対的な位置が可変となる。
【００２５】
次に、以上のように構成された照明器具１０の作用を説明する。
図４は図１に示した照明器具１０の器具本体１１が回転されながら取付孔１６に取り付けられる際の作用説明図、図５（Ａ）は係合突起３８が大きく回転された場合の要部側面図であり、（Ｂ）は係合突起３８が小さく回転された場合の要部側面図、（Ｃ）は係合突起３８が切欠孔３６の高さ方向に平行移動された場合の要部側面図である。
本実施形態の埋込型照明器具の施工時には、まず、図４に示すように、器具本体１１に対して点灯装置取付板１２を回転させた状態で天井１５の取付孔１６に下方から点灯装置取付板１２を挿入する。回転は、図５（Ａ）に示すように、切欠孔３６の内方で、係合突起３８が回転されることで可能となる。器具本体１１に対して点灯装置取付板１２の回転角度が小さければ、図５（Ｂ）に示すように、切欠孔３６での係合突起３８の回転も小さくなる。
【００２６】
その後、点灯装置取付板１２における器具本体１１から遠い側の取付板先端部３１が天井１５における取付孔１６から徐々に離れていく。これに伴い、器具本体１１の上面と取付孔１６の開口面とのなす角度が小さくなっていくように、枠体１８を取付孔１６へ挿入する。最終的に、枠体１８の鍔部２３と取付金具２４との間に天井１５における取付孔１６の周部が挟持されることで、照明器具１０は、天井１５への取り付けが完了する。
【００２７】
このように、取り付けがなされる照明器具１０は、器具本体１１から延出する天板２５と、電源ユニット１４を取り付ける点灯装置取付板１２とが、天板２５の係合突起３８を、点灯装置取付板１２の切欠孔３６に係合させて連結されている。係合突起３８が切欠孔３６の内方で移動することにより、取付板先端部３１が天井裏の建築構造物等の障害物に当たらないように、器具本体１１を回転させて取り付けがなされる。これにより、天井懐の低い天井１５や天井裏障害物がある場合の器具本体１１の取り付けが可能となる。
【００２８】
また、照明器具１０では、器具本体１１の上下方向に高さ方向が沿うように切欠孔３６が形成されている。図５（Ｃ）に示すように、点灯装置取付板１２の水平を維持しつつ点灯装置取付板１２と器具本体１１との上下方向の相対的な位置が可変となる。これにより、天井１５の厚み寸法が図１に示す寸法Ｄの取付可能範囲で変化しても、点灯装置取付板１２が傾いた状態となり難く、天井１５が比較的厚い場合での施工性が従来と同等に確保される。
【００２９】
さらに、照明器具１０を組み立てる際には、係合突起３８が切欠孔３６に挿入されたなら、一本の抜止ビス３９のみを点灯装置取付板１２に螺合すれば天板２５と点灯装置取付板１２との連結が完了する。このため、左右の連結孔を連結片３５の所定位置に位置合わせしながら二本の軸部を螺合する従来作業に比べ、組立作業性が大幅に向上する。
【００３０】
従って、本実施形態の照明器具１０によれば、天井懐の低い天井１５や天井裏障害物がある場合、天井１５が比較的厚い場合での施工性を従来と同等に確保しながら、組立作業性が大幅に向上する。
【符号の説明】
【００３１】
１０  照明器具
１１  器具本体
１２  点灯装置取付板
１４  電源ユニット
１５  天井
１６  取付孔
２５  天板
３０  天板先端部
３１  取付板先端部
３２  天井裏面
３４  取付板基端部
３５  連結片
３６  切欠孔
３７  天板両側部
３８  係合突起
３９  抜止ビス
４０  開放スリット
４１  取付板下面
４２  連結片切欠端面
【図１】
0005606343.tif 000002
【図２】
0005606343.tif 000003
【図３】
0005606343.tif 000004
【図４】
0005606343.tif 000005
【図５】
0005606343.tif 000006
【図６】
0005606343.tif 000007
【図７】
0005606343.tif 000008